(57)【特許請求の範囲】
【請求項１】
すくい取り部（１）と柄部（２）からなるしゃもじであって、柄部（２）の後端に、おにぎりに具を入れるための窪みを形成するための突起（３）を形成したことを特徴とするしゃもじ。
【請求項２】
突起（３）が、釣り鐘形をしていることを特徴とする請求項１記載のしゃもじ。
【請求項３】
突起（３）が、しゃもじの裏面側に垂下して形成されていることを特徴とする請求項１又は２記載のしゃもじ。
【請求項４】
突起（３）の高さが、おにぎりの幅の略半分であることを特徴とする請求項３記載のしゃもじ。
【請求項５】
突起（３）の表面に、ごはんの付着を防止する凹凸（3a）を形成したことを特徴とする請求項１，２，３又は４記載のしゃもじ。
【請求項６】
突起（３）の表面に、ごはんの付着を防止するフッソ樹脂コーティング加工をしたことを特徴とする請求項１，２，３又は４記載のしゃもじ。
【発明の詳細な説明】
【０００１】
【発明の属する技術分野】
この発明は、おにぎりを作るときに使用するしゃもじに関し、特におにぎり型を使用する場合に適したものである。
【０００２】
【従来の技術】
従来より、おにぎりは、家庭では手で握っていた。しかし、ごはんを握って成形するときに手に付着した雑菌がおにぎりにつきやすいという問題点があり、近年は、家庭でもおにぎり型を使用して成形するようになっている。
【０００３】
ところが、梅干しや塩昆布等の具をおにぎりに入れるときに、おにぎりの中央に具を入れる窪みを形成するが、窪みは箸を使用して形成するか、又は手で形成していた。
【０００４】
箸を使用した場合には、窪みを形成しにくく、手で形成した場合には、どうしてもおにぎりに雑菌がつきやすいという問題点があった。
【０００５】
【発明が解決しようとする課題】
そこでこの発明では、上記従来の問題点を解決し、おにぎりに具を入れる窪みを簡単に形成でき、しかも衛生的に形成できるようにした便利なしゃもじを提供することを目的とする。
【０００６】
【課題を解決するための手段】
そのため、この発明では、すくい取り部１と柄部２からなるしゃもじであって、柄部２の後端に、おにぎりに具を入れるための窪みを形成するための突起３を形成したものとした。
【０００７】
すくい取り部１でごはんを掬っておにぎり型に入れ、おにぎりを形成してから、柄部２の突起３でおにぎりの表面を押す。このようにすれば、おにぎりに具を入れる窪みが形成される。
【０００８】
前記突起３は、請求項２に記載の発明のように、釣り鐘形をしていることが好ましい。
【０００９】
このようにすれば、おにぎりに形成された窪みが、具を入れやすい深みと幅のある形状になる。
【００１０】
前記突起３は、請求項３に記載の発明のように、しゃもじの裏面側に垂下して形成されているようにすることが好ましい。
【００１１】
このようにすれば、柄部２を持ったときに突起３が下側を向くので、おにぎりに窪みを形成しやすくなる。
【００１２】
前記突起３の高さは、請求項４に記載の発明のように、おにぎりの幅の略半分とすることが好ましい。
【００１３】
このようにすれば、柄部２がおにぎり型の上縁に接するまで突起３をおにぎりに押し込めば、具が略真ん中となる適度な深さの窪みとなる。
【００１４】
前記突起３の表面には、請求項５に記載のように、ごはんの付着を防止する凹凸3aを形成したり、請求項６に記載のように、ごはんの付着を防止するフッソ樹脂コーティング加工をすることが好ましい。
【００１５】
このようにすれば、突起３にごはんが付着せず、おにぎりに窪みが綺麗に形成されるようになる。
【００１６】
【発明の実施の形態】
以下、この発明の実施の形態の一例を図面に基づき説明する。
【００１７】
図１は、この発明のしゃもじを示す斜視図である。
【００１８】
この発明のしゃもじは、すくい取り部１と柄部２からなる合成樹脂で成形されたしゃもじであって、柄部２の後端には、おにぎりに具を入れる窪みを形成するための突起３が形成されている。
【００１９】
このしゃもじは、おにぎりを作るためのものであり、おにぎり型にごはんを入れやすいように、普通のしゃもじよりも小型に形成されている。
【００２０】
すくい取り部１の表面及び裏面には、小さな突起が全面に形成されており、ごはんを掬ったときにごはんがすくい取り部１の表面に付着しないようにされている。
【００２１】
突起３は、図２に示すように、柄部２の後端より、しゃもじの裏面側に垂下して形成されており、略釣り鐘形をしている。さらに、突起３の表面には、ごはんの付着を防止する凹凸3aを形成している。
【００２２】
この実施例では、突起３をしゃもじの裏面側に垂下して形成しているが、形成する方向は任意に変更することができる。さらに、突起３の表面に形成した凹凸3aを下方に向かう突条としているが、小突起でも良いし、フッソ樹脂コーティング加工に代えて実施することもできる。
【００２３】
さらに、突起３の高さは、おにぎりの幅（厚み）の略半分となっている。
【００２４】
次に、この発明のしゃもじとおにぎり型を使用しておにぎりを形成する例を説明する。
【００２５】
この実施例では、三角形の凹部が形成された本体部4aと、本体部4aにヒンジ部を介して蓋部4bが連結されたポリプロピレン樹脂からなる三角おにぎり型兼用容器４（株式会社イモタニ製）を使用するが、これに限定するものではない。
【００２６】
この発明のしゃもじを使用し、炊飯釜内からすくい取り部１でごはん５を掬い、三角おにぎり型兼用容器４の本体部4aに入れる。
【００２７】
そして、ごはん５の表面をすくい取り部１でならしてから、図３に示すように、しゃもじが前後逆になるように柄部２を持ち、柄部２が三角おにぎり型兼用容器４の上縁に着くまで突起３をおにぎりに押しつける。
【００２８】
すると、突起３の高さが、おにぎりの幅の略半分であるため、具を入れたときに具が丁度略真ん中となる適度な深さになる窪み６がおにぎりに形成される。しかも、突起３が釣り鐘形をしているので、窪み６は具が入れやすい形になっている。
【００２９】
図４に示すように、具７を箸で摘み、窪み６の中に入れ、蓋部4bを閉めるとおにぎりが完成する。
【００３０】
具７は、梅干しや塩昆布等任意のものを選択できる。
【００３１】
【発明の効果】
この発明のしゃもじでは、上述のように構成されており、おにぎり型にごはんを入れ、おにぎりを形成してから、柄部の突起でおにぎりの表面を押せば、おにぎりに具を入れる窪みが簡単且つ綺麗に形成されるだけでなく、おにぎりには手を触れないので、手についた雑菌がおにぎりに付着することがなく衛生的である。
【００３２】
前記突起を、釣り鐘形にすれば、おにぎりに形成された窪みが具を入れやすい深みと幅のある形状になり、使いやすいものとなる。
【００３３】
前記突起を、請求項３に記載の発明のように、しゃもじの裏面側に垂下して形成すれば、柄部を持ったときに突起が下側を向いているので、窪みを形成しやすくなり、使いやすいものとなる。
【００３４】
前記突起の高さを、請求項４に記載の発明のように、おにぎりの幅の略半分とすれば、柄部をおにぎり形成型の上縁に接するまで押し込めば、適度な深さの窪みとなるので、具がおにぎりの真ん中付近にまで入った美味しいおにぎりができる。
【００３５】
前記突起の表面には、請求項５に記載のように、ごはんの付着を防止する凹凸を形成したり、請求項６に記載のように、ごはんの付着を防止するフッソ樹脂コーティング加工をすれば、突起にごはんが付着せず、窪みが綺麗に形成されるようになり、具を入れやすくなる。
【図面の簡単な説明】
【図１】この発明のしゃもじの斜視図である。
【図２】この発明のしゃもじの突起部分の断面斜視図である。
【図３】この発明のしゃもじを使用しておにぎりに窪みを形成するときの状態を説明する説明図である。
【図４】この発明のしゃもじを使用して形成した窪みに具を入れている状態を説明する説明図である。
【符号の説明】
１  すくい取り部
２  柄部
３  突起
3a  凹凸
６  窪み
【図１】
0003680273.tif 000002
【図２】
0003680273.tif 000003
【図３】
0003680273.tif 000004
【図４】
0003680273.tif 000005